(57)【要約】【課題】作業性がよく、べたつきもないタグを提供する。【解決手段】荷札（タグ）１０は、荷札本体１１と、紐部１５と、ＰＰラベル１６などとを備え、荷札本体１１は、略正方形のシートであり、所定の切り込み１２を備え、表面には、記入欄１３が設けられ、裏面には、ＰＰラベル１６を貼付するための着店コードラベル貼付欄１４が設けられ、紐部１５は、ループ状の輪を形成可能なものであり、一端が荷札本体１１の天側の中央部分に一体化され、他端が切り込み１２に挿入されるようになっており、荷札本体１１及び紐部１５の材質は、厚さ５０μｍ程度のＰＥＴ（ポリエチレンテレフタレート）やＰＰ（ポリプロピレン）などの合成紙、又は、柔軟性を有する厚紙であり、ＰＰラベル１６は、ＰＰ基材１７／粘着剤１８／剥離紙１９が順に積層されたラベルであり、粘着剤１８は、ループ状の輪を形成した紐部１５を荷札本体１１に固定する固定手段である。【選択図】図１
2007017923.tif 000002
【特許請求の範囲】
【請求項１】
タグ本体と、
前記タグ本体に一体又は別体に配置され、ループ状の輪を形成可能な紐部と、
ループ状の輪を形成した前記紐部を前記タグ本体に固定する固定手段と、
を備えるタグ。
【請求項２】
タグ本体と、
前記タグ本体に一体又は別体に配置され、ループ状の輪を形成可能な紐部とを備えるタグであって、
ループ状の輪を形成した前記紐部を前記タグ本体に固定すること、
を特徴とするタグ。
【請求項３】
請求項１又は請求項２に記載のタグにおいて、
前記タグ本体は、所定の切り込みを備え、
前記紐部は、一端が前記タグ本体に一体化され、他端が前記切り込みに挿入されること、
を特徴とするタグ。
【請求項４】
請求項１に記載のタグにおいて、
前記タグ本体は、前記固定手段を備え、
折り畳んだ前記タグ本体で前記紐部を挟み込み、前記固定手段で前記紐部を固定すること、
を特徴とするタグ。
【請求項５】
請求項１から請求項４までのいずれか１項に記載のタグにおいて、
前記タグ本体及び／又は前記紐部に設けられ、前記タグ本体と前記紐部とを仮止めする仮止め手段を備えること、
を特徴とするタグ。
【請求項６】
請求項１から請求項５までのいずれか１項に記載のタグにおいて、
前記固定手段及び／又は前記仮止め手段は、粘着剤層であること、
を特徴とするタグ。
【請求項７】
タグ本体と、
前記タグ本体に一体又は別体に配置され、ループ状の輪を形成可能な紐部と、
を備えるタグを少なくとも１つ含むタグ用シート。
【請求項８】
請求項７に記載のタグ用シートにおいて、
前記タグは、その周縁が分離線で区画されていること、
を特徴とするタグ用シート。
【請求項９】
請求項７に記載のタグ用シートにおいて、
このタグ用シートは、ベースシート上に剥離可能に配置され、
前記タグは、その周縁がスリット線で区画されていること、
を特徴とするタグ用シート。
【請求項１０】
請求項９に記載のタグ用シートにおいて、
前記タグ本体及び／又は前記紐部に設けられ、前記タグ本体と前記紐部とを仮止めする仮止め手段を備え、
前記仮止め手段は、このタグ用シートと前記ベースシートとの間に設けられていること、
を特徴とするタグ用シート。
【発明の詳細な説明】
【技術分野】
【０００１】
本発明は、荷物の送り先や差出人などを表示するための荷札などに好適に使用できるタグ及びタグ用シートに関するものである。
【背景技術】
【０００２】
従来、荷札（タグ）は、針金付きの荷札が広く知られている（例えば、特許文献１）。
針金付きの荷札は、荷札の孔に針金が通されており、その針金で輪をつくり、針金をねじって使用するものである。
しかし、針金は硬いので作業性が悪く、ほぐすのも大変で、取り扱い性もよくない。また、荷札を無理に引っ張ると、針金は荷物についたまま、荷札だけが取れてしまうことがある。
そこで、針金ではなく、荷物にそのまま貼付可能なラベルタイプの荷札もあるが（例えば、特許文献２）、ラベルタイプのものでは、荷物を汚してしまったり、べたつきが残ってしまったりする恐れがあった。
【特許文献１】特開平０６−１７９２４７号公報
【特許文献２】特開２００２−０１４６１７号公報
【発明の開示】
【発明が解決しようとする課題】
【０００３】
本発明の課題は、作業性がよく、べたつきもないタグを提供し、また、タグの取り扱いが容易となるようなタグ用シートを提供することである。
【課題を解決するための手段】
【０００４】
前記課題を解決するために、請求項１の発明は、タグ本体と、前記タグ本体に一体又は別体に配置され、ループ状の輪を形成可能な紐部と、ループ状の輪を形成した前記紐部を前記タグ本体に固定する固定手段と、を備えるタグである。
請求項２の発明は、タグ本体と、前記タグ本体に一体又は別体に配置され、ループ状の輪を形成可能な紐部とを備えるタグであって、ループ状の輪を形成した前記紐部を前記タグ本体に固定すること、を特徴とするタグである。
請求項３の発明は、請求項１又は請求項２に記載のタグにおいて、前記タグ本体は、所定の切り込みを備え、前記紐部は、一端が前記タグ本体に一体化され、他端が前記切り込みに挿入されること、を特徴とするタグである。
請求項４の発明は、請求項１に記載のタグにおいて、前記タグ本体は、前記固定手段を備え、折り畳んだ前記タグ本体で前記紐部を挟み込み、前記固定手段で前記紐部を固定すること、を特徴とするタグである。
請求項５の発明は、請求項１から請求項４までのいずれか１項に記載のタグにおいて、前記タグ本体及び／又は前記紐部に設けられ、前記タグ本体と前記紐部とを仮止めする仮止め手段を備えること、を特徴とするタグである。
請求項６の発明は、請求項１から請求項５までのいずれか１項に記載のタグにおいて、前記固定手段及び／又は前記仮止め手段は、粘着剤層であること、を特徴とするタグである。
請求項７の発明は、タグ本体と、前記タグ本体に一体又は別体に配置され、ループ状の輪を形成可能な紐部と、を備えるタグを少なくとも１つ含むタグ用シートである。
請求項８の発明は、請求項７に記載のタグ用シートにおいて、前記タグは、その周縁が分離線で区画されていること、を特徴とするタグ用シートである。
請求項９の発明は、請求項７に記載のタグ用シートにおいて、このタグ用シートは、ベースシート上に剥離可能に配置され、前記タグは、その周縁がスリット線で区画されていること、を特徴とするタグ用シートである。
請求項１０の発明は、請求項９に記載のタグ用シートにおいて、前記タグ本体及び／又は前記紐部に設けられ、前記タグ本体と前記紐部とを仮止めする仮止め手段を備え、前記仮止め手段は、このタグ用シートと前記ベースシートとの間に設けられていること、を特徴とするタグ用シートである。
【発明の効果】
【０００５】
本発明によれば、ループ状の輪を形成した紐部をタグ本体に固定するだけで簡単にタグを形成することができるので、従来のように針金をねじったりほぐしたりする必要はなく、作業性や取り扱い性がよい。
また、ループ状の輪で対象物に引っ掛けることができるので、対象物を汚してしまったり、べたつきが残ってしまったりすることがない。
さらに、タグ本体と紐部とを仮止めする仮止め手段を備えるので、固定手段で固定する前に、一旦仮止めすることができ、作業性がよい。
【０００６】
一方、少なくとも１つのタグを含むタグ用シートとすることで、複数のタグを仮止めしておくことができ、タグの取り扱いが容易となる。また、使用前に、タグの一部が折れ曲がってしまうことを防止できる。さらに、仮止め手段をタグ用シートとベースシートとの間に設けることで、仮止め手段が内包されるようになり、仮止め手段を保護するものを別途用意する必要がなく、低コストで製造可能である。
【発明を実施するための最良の形態】
【０００７】
本発明は、作業性がよく、べたつきもないタグを提供するという目的を、荷札本体に一体化された紐部でループ状の輪を形成し、その紐部をＰＰラベルで粘着固定することにより実現する。
【実施例１】
【０００８】
以下、図面等を参照して、本発明の実施例について、さらに詳しく説明する。
（タグ）
図１は、本発明によるタグの実施例１を示す図であり、図２は、荷札１０の使用方法を示す図である。
実施例１の荷札（タグ）１０は、荷札本体（タグ本体）１１と、紐部１５と、ＰＰラベル１６などとを備える。
【０００９】
荷札本体１１は、略正方形のシートであり、所定の切り込み１２を備え、表面には、記入欄１３が設けられ、裏面には、後述するＰＰラベル１６を貼付するための着店コードラベル貼付欄１４（図２（Ｃ）参照）が設けられている。
また、荷札本体１１の材質は、例えば、厚さ５０μｍ程度のＰＥＴ（ポリエチレンテレフタレート）やＰＰ（ポリプロピレン）などの合成紙、又は、柔軟性を有する厚紙である。
【００１０】
紐部１５は、ループ状の輪を形成可能なものであり、一端が荷札本体１１の天側の中央部分に一体化され、他端が切り込み１２に挿入されるようになっている。紐部１５の材質は、荷札本体１１と同様である。
【００１１】
ＰＰラベル１６は、ＰＰ基材１７／粘着剤（粘着剤層）１８／剥離紙１９が順に積層されたラベルであり、粘着剤１８は、ループ状の輪を形成した紐部１５を荷札本体１１に固定する固定手段である。
また、ＰＰラベル１６には、着店コードなどの識別情報や、店舗名などの店舗情報を、あらかじめ印字しておくとよい。
【００１２】
次に、実施例１による荷札１０の使用方法について説明する。
まず、図２（Ａ）に示すように、記入欄１３に名前や住所などの必要事項を記入する。
ついで、荷物の一部（例えば、ファスナーの孔や、かばんの取っ手など）に紐部１５を通しながら、図２（Ｂ）に示すように、ループ状の輪を形成し、紐部１５の先端部（凸部）を切り込み１２に挿入する。
さらに、図２（Ｃ）に示すように、荷札１０を裏返し、裏面に飛び出した紐部１５の先端部を含めるように、着店コードラベル貼付欄１４にＰＰラベル１６を貼り込んで封緘する。
【００１３】
このように、実施例１の荷札１０によれば、紐部１５をＰＰラベル１６で封緘して簡単に荷札とすることができるので、従来のように針金をねじったりほぐしたりする必要はなく、作業性や取り扱い性がよい。
また、ループ状の輪によって、荷札１０を荷物に引っ掛けることができるので、荷物を汚してしまったり、べたつきが残ってしまったりすることがない。
【００１４】
さらに、ＰＰラベル１６によって、紐部１５を粘着固定しているので、紐部１５を強く引き抜けば、荷札本体１１から分離可能であり、荷札１０が再利用不可能となるので、作業ミスや取り違えが起こりにくい。
さらにまた、紐部１５の先端部を切り込み１２に挿入するので、荷札形成時に、位置決めが行いやすく、しかも、切り込み１２から飛び出した部分のみが粘着固定されるので、荷物から脱落しない程度の粘着力を確保しつつ、引き抜きも行いやすくなっている。
【００１５】
（タグ用シート）
図３は、本発明によるタグ用シートの実施例１を示す図である。
実施例１による荷札用シート（タグ用シート）２０Ａ，２０Ｂは、上述した荷札１０に使用する荷札本体１１と紐部１５とが一体化されたものが、１０面配置されたシートである。
荷札用シートが厚紙の場合は、図３（Ａ）に示すように、ミシン目（分離線）ｍｃによる型抜き（区画）でよいが、荷札用シートが合成紙の場合には、ミシン目ｍｃでは切り取りにくいため、図３（Ｂ）に示すように、台紙（ベースシート）２１上に荷札用シート２０Ｂを擬似接着層（接着剤層／剥離層）２２を介して擬似接着させて、ハーフカット（スリット線）ｈｃで型抜きしておく方が取り扱いやすい。
【００１６】
このように、実施例１の荷札用シート２０Ａ，２０Ｂによれば、複数の荷札を仮止めしておくことができるので、取り扱いが容易となり、また、使用前に、紐部１５が折れ曲がってしまうことを防止できる。
【実施例２】
【００１７】
図４は、本発明によるタグの実施例２を示す図である。
なお、前述した実施例１と同様な機能を果たす部分には、同一の符号又は末尾に統一した符号を付して、重複する説明や図面を適宜省略する。
実施例２の荷札１０Ａは、実施例１の荷札１０と異なり、紐部１５が別体となったものである。
実施例２では、実施例１の荷札本体１１がなくなり、ＰＰラベル１６が荷札本体を兼用している。
また、ＰＰラベル１６は、２つ折りできるように、折り線を介して２片が連接されている。
【００１８】
そして、この荷札１０Ａを使用する場合には、まず、紐部１５を荷物の一部に通し、ついで、印字済みのＰＰラベル１６の剥離紙を剥がす。
さらに、図４（Ｂ）に示すように、ループ状の輪を形成した紐部１５をＰＰラベル１６に貼る。
最後に、図４（Ｃ）に示すように、粘着剤１８が内側となるように、ＰＰラベル１６を２つ折りし、紐部１５を挟み込んで固定する。
【００１９】
このように、実施例２の荷札１０Ａによれば、紐部１５とＰＰラベル１６とを用意するだけでよいので、使用する物品数を減らして、きわめてシンプルかつコストを抑えた形態とすることができる。
【実施例３】
【００２０】
（タグ）
図５は、本発明によるタグの実施例３を示す図である。
実施例３の荷札１０Ｂは、実施例１の荷札１０に設けられていた切り込み１２がなくなり、紐部１５の先端に粘着剤（仮止め手段：粘着剤層）２３が設けられているものである。
なお、実際には、使用時まで粘着剤２３を保護する剥離紙（不図示）が必要であり、また、粘着剤２３は、図５（Ｂ）に示すように、荷札本体１１に設けてもよく、サイズもある程度自由でよい。
【００２１】
そして、この荷札１０Ｂを使用する場合には、まず、荷物の一部に紐部１５を通し、ついで、図５（Ｃ）に示すように、紐部１５でループ状の輪を形成し、その紐部１５の先端を荷札本体１１に仮止めし、最後に、その上からＰＰラベル１６を貼り込んで封緘する。
【００２２】
このように、実施例３の荷札１０Ｂによれば、荷札本体１１と紐部１５の先端とを仮止めする粘着剤２３を備えるので、実施例１のように、切り込み１２に紐部１５の先端を通す必要がなく、作業性がよい。
【００２３】
（タグ用シート）
図６は、本発明によるタグ用シートの実施例３を示す図である。
実施例３による荷札用シート２０Ｃは、上述した荷札１０Ｂに使用する荷札本体１１と紐部１５とが一体化されたものが、ハーフカットｈｃによって区画されて４面配置されたシートである。
また、この荷札用シート２０Ｃは、擬似接着層２２を介して、台紙２１に擬似接着されている（粘着剤２３の部分を除く）。
粘着剤２３は、荷札用シート２０Ｃとベースシート２１との間に設けられ、台紙２１に施された剥離処理などによって、紐部１５側に剥離するようになっている。
【００２４】
このように、実施例３の荷札用シート２０Ｃによれば、台紙２１に荷札用シート２０Ｃを剥離可能に擬似接着させておくことで、薄手の荷札であっても、折れ曲がったりしない。
また、粘着剤２３を内包するように荷札用シート２０Ｃと台紙２１とを貼り合わせているので、粘着剤２３を保護する剥離紙を別途用意する必要がなく、低コストで製造可能である。
【００２５】
（変形例）
以上説明した実施例に限定されることなく、種々の変形や変更が可能であって、それらも本発明の均等の範囲内である。
（１）実施例１では、ＰＰラベル１６の代わりとなる固定手段（例えば、家庭用の粘着テープなど）があらかじめ用意されていれば、着店コードなどを荷札本体１１に表示させておくことによって、ＰＰラベル１６をなくすことができる。
（２）固定手段は、ＰＰラベル１６の粘着剤１８の例で説明したが、ホッチキスなどの固定手段であってもよい。
（３）上述した各実施例で、タグは、荷札の例で説明したが、例えば、患者や赤ちゃん用の付け札として病院で使用してもよく、また、ＩＣチップなどを付属させて流通過程で使用してもよい。
【図面の簡単な説明】
【００２６】
【図１】本発明によるタグの実施例１を示す図である。
【図２】荷札１０の使用方法を示す図である。
【図３】本発明によるタグ用シートの実施例１を示す図である。
【図４】本発明によるタグの実施例２を示す図である。
【図５】本発明によるタグの実施例３を示す図である。
【図６】本発明によるタグ用シートの実施例３を示す図である。
【符号の説明】
【００２７】
１０、１０Ａ、１０Ｂ  荷札（タグ）
１１  荷札本体（タグ本体）
１２  切り込み
１３  記入欄
１４  着店コードラベル貼付欄
１５  紐部
１６  ＰＰラベル
１７  ＰＰ基材
１８  粘着剤（粘着剤層）
１９  剥離紙
２０Ａ，２０Ｂ，２０Ｃ  荷札用シート（タグ用シート）
２１  台紙（ベースシート）
２２  擬似接着層
２３  粘着剤（仮止め手段：粘着剤層）
ｈｃ  ハーフカット（スリット線）
ｍｃ  ミシン目（分離線）
【図１】
2007017923.tif 000003
【図２】
2007017923.tif 000004
【図３】
2007017923.tif 000005
【図４】
2007017923.tif 000006
【図５】
2007017923.tif 000007
【図６】
2007017923.tif 000008